(57)【要約】      （修正有）【課題】展開と巻取りが行えるコードレスカーテンの開閉連動構造を提供する。【解決手段】シェルと、反方向折返し部４１と、正方向転折部４７と、渦巻バネユニット５とを含み、シェルが第一コード孔４０と第二コード孔３０を設け、反方向折返し部４１がシェル内に設けられ、正方向転折部４７がシェル内に設けられ、渦巻バネユニット５がシェル内に設けられ、且つ渦巻バネユニット５の、一組の第一バネセットが直接的或いは間接的に第一コード６０と第二コード６１の各自の第一端と連結することで、第一コード６０と第二コード６１が同じ方向に延伸し、その内、第一コード６０の第二端が正方向転折部４７を経由して転折した後、第一コード孔４０を通ることで下降してスラットユニットと連接し、第二コード３０の第二端が反方向折返し部４１を経由して折返した後、第二コード孔３０を通ることで下降してスラットユニットと連接する。【選択図】図４
0003222690.tif 000002
【実用新案登録請求の範囲】
【請求項１】
コードレスカーテンの開閉連動構造であり、シェルと、反方向折返し部と、正方向転折部と、渦巻バネユニットとを含み、
前記シェルが第一コード孔と第二コード孔を設け、
前記反方向折返し部が前記シェル内に設けられ、
前記正方向転折部が前記シェル内に設けられ、
前記渦巻バネユニットが前記シェル内に設けられ、且つ前記渦巻バネユニットが、一組の第一バネセットが直接的或いは間接的に第一コードと第二コードの各自の第一端と連結することで、前記第一コードと前記第二コードが同じ方向に延伸し、
その内、前記第一コードの第二端が前記正方向転折部を経由して転折した後、前記第一コード孔を通ることで下降してスラットユニットと連接し、前記第二コードの第二端が前記反方向折返し部を経由して折返した後、前記第二コード孔を通ることで下降して前記スラットユニットと連接することを特徴とする、コードレスカーテンの開閉連動構造。
【請求項２】
前記反方向折返し部がガイドピンまたはガイドローラであり、前記正方向転折部がガイドピンまたはガイドローラであり、且つ前記反方向折返し部と前記正方向転折部がそれぞれ中央ケース内部に設けられ、且つ前記中央ケースは前記反方向折返し部と前記正方向転折部の間にロッドを設け、前記第一コードと前記第二コードをそれぞれ先に前記ロッドに巻き、更にそれぞれを前記反方向折返し部と前記正方向転折部に巻くことを特徴とする、請求項１に記載のコードレスカーテンの開閉連動構造。
【請求項３】
コード分岐器を設け、前記コード分岐器がケースを含み、且つ前記反方向折返し部が前記ケース内部に設けられ、前記渦巻バネユニットに近い側にあり、且つ前記正方向転折部が前記ケース内部に設けられ、前記渦巻バネユニットに遠い側にあり、更に遠端コード部を設け、前記第一コード孔が前記コード分岐器底部に設けられ、前記第二コード孔が前記遠端コード部底部に設けられることを特徴とする、請求項１に記載のコードレスカーテンの開閉連動構造。
【請求項４】
前記第一バネセットが、二者が相互に一つのバネを伸縮させる第一ローラピンと第二ローラピン、前記第一コードと前記第二コードを巻く一つの第三ローラピンを含み、且つ前記第二ローラピンと前記第三ローラピンが各自相互に噛合う歯車を設けることを特徴とする、請求項２または請求項３に記載のコードレスカーテンの開閉連動構造。
【請求項５】
前記渦巻バネユニットが更に一つの第二バネセットを含み、前記第二バネセットが、二者が相互に一つのバネを伸縮させる第四ローラピンと第五ローラピンを含み、且つ前記第五ローラピンと前記第一ローラピンが各自相互に噛合う歯車を設けることを特徴とする、請求項２または請求項３に記載のコードレスカーテンの開閉連動構造。
【請求項６】
前記コード分岐器の前記第一コード孔が、二つの相互に隔たるガイドローラが生成する間隙により形成されることを特徴とする、請求項３に記載のコードレスカーテンの開閉連動構造。
【請求項７】
前記遠端コード部の前記第二コード孔が、二つの相互に隔たるガイドローラが生成する間隙により形成されることを特徴とする、請求項３に記載のコードレスカーテンの開閉連動構造。
【請求項８】
前記コード分岐器内部と前記遠端コード部内部にそれぞれ直立ピンが設けられ、前記第一コードを前記第一コード孔に進入させる前に導正し、前記第二コードを前記第二コード孔に進入させる前に導正することを特徴とする、請求項３に記載のコードレスカーテンの開閉連動構造。
【請求項９】
前記渦巻バネユニットが前記コード分岐器と前記遠端コード部との間に介在することを特徴とする、請求項３に記載のコードレスカーテンの開閉連動構造。
【考案の詳細な説明】
【技術分野】
【０００１】
本考案はカーテンの巻取り構造に関し、とりわけコードレスカーテンの巻取り構造である。
【背景技術】
【０００２】
カーテンは現代の居室において、主に遮光とプライバシの保護に用いられ、または居室を彩ったり装飾したりし、延いては居室のセンスを表す。現代のカーテンはスラットの展開と巻取りを便利にする為に、その構造上にいずれもコードが設置され、コードを引っ張ることでスラットの昇降を行う。然しながら、コードの露出している部分は遊んでいる幼児を容易に絡んでしまう。カーテンは、特に人権を重視する国家では重宝されており、特に現在既に開発されている多くの「コードレス」のカーテンは(コードレスとは、人の手で直接コードを引かず、コードでスラットユニットを動かし開閉させることを指す)、主要構造が異なるが、そのスラットユニットの展開と巻取りの状態は、簡単な部品関係によるものであり、主には、一組のぜんまいバネ（渦巻バネ）がコードの一端と連接し、前記コードの一端が前記カーテンのスラットユニットに結合することにより、前記カーテンのスラットユニットの重量と弾性が平衡を形成し、スラットユニットを引下ろす或いは巻上げる時、人の手の力でその平衡を崩すというものである。然しながら、前述の単一のコードを例とした説明は、実際には複数組の渦巻状のバネを有し、それぞれが直接的或いは間接的に複数のコードと連結し、複数のコードがスラットユニットに繋がっている。弾力の来源がそれぞれ異なるバネにあるため弾力の要因が異なったり、またはコードの転折上の要因から最終的にスラットユニットに伝達される力が均等でないがゆえ、スラットユニットが傾斜する、またはその展開と巻取りがスムーズに行かないという状況が発生する。
【考案の概要】
【考案が解決しようとする課題】
【０００３】
従来技術の問題を鑑み、本考案の考案者は研究開発の動機として、スラットユニットに伝達するコードの力量を均等に近づけ、スラットユニットが傾斜する、またはその展開と巻取りがスムーズに行えない等の状況を減少させることができる物が必要だと考えた。本考案はコードレスカーテンの開閉連動構造に関し、主に展開と巻取りが行えるスラットユニットを提供する。
【課題を解決するための手段】
【０００４】
本考案はシェルと、反方向折返し部と、正方向転折部と、渦巻バネユニットとを含み、前記シェルは第一コード孔と第二コード孔を設け、前記反方向折返し部は前記シェル内に設けられ、前記正方向転折部は前記シェル内に設けられ、前記渦巻バネユニットは前記シェル内に設けられ、且つ前記渦巻バネユニットは一組の第一バネセットが直接的或いは間接的に第一コードと第二コードの各自の第一端と連結することで、前記第一コードと前記第二コードが同じ方向に延伸する。前記第一コードの第二端は前記正方向転折部を経由して転折した後、前記第一コード孔を通ることで下降して前記スラットユニットと連接し、前記第二コードの第二端は前記反方向折返し部を経由して折返した後、前記第二コード孔を通ることで下降して前記スラットユニットと連接する。前記第一コードと前記第二コードの引っ張られる弾性の來源が同じバネなので「弾力の来源が同じ」であり、且つ前記第一コードと前記第二コードの第二端は共に前記反方向折返し部の方向に導かれ、その内、前記第一コードの第二端は前記正方向転折部を経由して転折した後、前記第一コード孔を通ることで下降して前記スラットユニットと連接し、前記第二コードの第二端は前記反方向折返し部を経由して折返した後、前記第二コード孔を通ることで下降して前記スラットユニットと連接する。
【考案の効果】
【０００５】
これらの距離は若干の差があるが、二つの導向過程はほぼ同じであり、故に「弾力の来源が同じ」であり、且つ「共に同じ導向」にし、前記反方向折返し部と前記正方向転折部のルートがほぼ同じであり、故に前記スラットユニットが受ける前記第一コードと前記第二コードの引く力は均等に近づく。前記スラットユニットに伝達する力量を均等に近づけることで、前記スラットユニット１が傾斜する、またはその展開と巻取りがスムーズに行かないという状況を防ぐ。
【図面の簡単な説明】
【０００６】
【図１】本考案の第二実施例の、人の手で操作する場合の設置位置の立体図である。
【図２】本考案の第二実施例の立体組立図である。
【図３】本考案の第二実施例のスラットユニット角度調節構造の分解図である。
【図４】本考案の第二実施例の第一コードと第二コードをシェル中から抜出した状態を表した立体図である。
【図５】本考案の第二実施例の第一コードと第二コードをシェル中から抜出した状態を表した俯瞰図である。
【図６】本考案の第二実施例の渦巻バネユニットの設置位置の図である。
【図７】本考案の第一実施例の部品及びコード孔をシェル中から抜出して表した図である。
【図８】本考案の第一実施例の部分立体拡大図である。
【考案を実施するための形態】
【０００７】
以下に図面を用いて本考案の内容、特徴及び実施例を説明し、審査員の本考案に対する更なる理解に資する。
【０００８】
図１を参照すると、本考案はコードレスカーテンの開閉連動構造に関し、主に展開と巻取りが行えるスラットユニット１を提供することである。
【０００９】
前記スラットユニット１は、ブラインド型態を例として図３を合わせて参照すると、角度調整器７と前記角度調整器７を回転させる角状シャフト８との結合と使用に適用することができる。
【００１０】
図1はスレットユニット１を巻取る時、人の手の力で平衡を崩す様子を示した図である。
【００１１】
本考案の第一実施例は、先ず図７と図８を参照すると、シェル２（図７は内部構造を表すので前記シェルを省略、前記シェルは図１と図３を参照）と、反方向折返し部４１と、正方向転折部４７と、渦巻バネユニット５とを含み、前記シェル２の両端はその両端を塞ぐ側面板２１と２２を設け、前記シェル２は第一コード孔４０と第二コード孔３０を設け（第一実施例は明瞭な説明の為に、前記第一コード孔４０と前記第二コード孔３０を抜出して説明する）、前記反方向折返し部４１は前記シェル２内に設けられ、前記正方向転折部４７は前記シェル２内に設けられ、前記渦巻バネユニット５は前記シェル２内に設けられ、且つ前記渦巻バネユニット５は一組の第一バネセット５Ａが直接的或いは間接的に第一昇降コード６０と第二昇降コード６１の各自の第一端と連結することで、前記第一昇降コード６０と前記第二昇降コード６１が同じ方向に延伸する。前記第一昇降コード６０の第二端は前記正方向転折部４７を経由して転折した後、前記第一コード孔４０を通ることで下降して前記スラットユニット１と連接し、図１と合わせて参照すると、前記第二昇降コード６１の第二端は前記反方向折返し部４１を経由して折返した後、前記第二コード孔３０を通ることで下降して前記スラットユニット１と連接する。
【００１２】
前記第一昇降コード６０と前記第二昇降コード６１の引っ張られる弾性の來源が同じ前記第一バネセット５Ａなので「弾力の来源が同じ」であり、且つ前記第一昇降コード６０と前記第二昇降コード６１の第二端は共に前記反方向折返し部４１の方向に導かれ、その内、前記第一昇降コード６０の第二端は前記正方向転折部４７を経由して転折した後、前記第一コード孔４０を通ることで下降して前記スラットユニット１と連接し、前記第二昇降コード６１の第二端は前記反方向折返し部４１を経由して折返した後、前記第二コード孔３０を通ることで下降して前記スラットユニット１と連接する。これらの距離は若干の差があるが、二つの導向過程はほぼ同じであり、故に「弾力の来源が同じ」であり、且つ「共に同じ導向」にし、前記反方向折返し部４１と前記正方向転折部４７のルートがほぼ同じであり、故に前記スラットユニット１が受ける前記第一昇降コード６０と前記第二昇降コード６１の引く力は均等に近づく。前記スラットユニット１に伝達する力量を均等に近づけることで、前記スラットユニット１が傾斜する、または展開と巻取りがスムーズに行かないという状況を減少させる。
【００１３】
前記反方向折返し部４１はガイドピンであり、またガイドローラとすることで摩擦を更に減少させることができ、前記正方向転折部４７もガイドピンであり、またガイドローラとすることで摩擦を更に減少させることができる。前記反方向折返し部４１と前記正方向転折部４７はそれぞれ中央ケース４８内部に設けられ、且つ前記中央ケース４８は前記反方向折返し部４１と前記正方向転折部４７の間にロッド４９を設け、前記第一昇降コード６０と前記第二昇降コード６１をそれぞれ先に前記ロッド４９に巻き、更にそれぞれが前記反方向折返し部４１と前記正方向転折部４７に巻くことで、前記ロッド４９が、前記第一昇降コード６０と前記第二昇降コード６１が巻かれる過程で予め矯正或いは修正を加えることで、前記反方向折返し部４１と前記正方向転折部４７に巻かれる前にほぼ同様の巻着状態を獲得させる。
【００１４】
図１、図３、図４、図５を参照すると、本考案の第二実施例はコード分岐器４を設け、前記コード分岐器４はケース４２を含み、前記コード分岐器４の部品を前記ケース４２に収容し、全体を前記シェル２内に固設或いは嵌設といった組立てと設置をすることができる。且つ前記反方向折返し部４１は前記ケース４２内部に設けられ、前記渦巻バネユニット５に近い側にあり、前記正方向転換部４７は前記ケース４２内部に設けられ、前記渦巻バネユニット５に遠い側にある。本考案の第二実施例は更に遠端コード部３を設け、前記遠端コード部３は、前記シェル２内に組立てるためのケース３２を含むことができる。前記遠端コード部３は入口ガイドローラ３１を設け、前記入口ガイドローラ３１は前記第二昇降コード６１を側方から通過させることができ、また前記第二昇降コード６１が接触する際スムーズに通過できるように補助することができる。前記第一コード孔４０は前記コード分岐器４底部に設けられ、前記第二コード孔３０は前記遠端コード部３底部に設けられ、部品の配置をなるべく安定させる。
【００１５】
図４を合わせて参照すると、第二実施例において（第一実施例も同様）、前記第一バネセット５Ａは、二者が相互に一つのバネ５０を伸縮させる第一ローラピン５１と第二ローラピン５２、前記第一昇降コード６０と前記第二昇降コード６１を巻く一つの第三ローラピン５３を含み、且つ前記第二ローラピン５２と前記第三ローラピン５３は各自相互に噛合う歯車５２１と歯車５３１を設け、前記歯車５２１と前記歯車５３１が相互に噛合うことにより効率的に回転速度を緩和させる。
【００１６】
図７を合わせて参照すると、第一実施例において（第二実施例も同様）、前記渦巻バネユニット５は更に一つの第二バネセット５Ｂを含み、前記第二バネセット５Ｂは、二者が相互に一つのバネを伸縮させる第四ローラピン５４と第五ローラピン５５を含み、且つ前記第五ローラピン５５と前記第一ローラピン５１は各自相互に噛合う歯車５５１と歯車５１１を設け（相互に噛合い連動するため、前記第一バネセット５Ａと前記第二バネセット５Ｂは弾力の来源が同じ）、重量の重い前記スラットユニット１の場合、バネの弾力を増加させる。
【００１７】
第二実施例において、図４を参照すると、前記コード分岐器４の前記第一コード孔４０は二つの相互に隔たるガイドローラ４３とガイドローラ４４が生成する間隙により形成され、コードの穴孔の通りをスムーズにさせる。前記遠端コード部３の前記第二コード孔３０も二つの相互に隔たるガイドローラ３３とガイドローラ３４が生成する間隙により形成され、コードの穴孔の通りをスムーズにさせる。
【００１８】
第二実施例において、図４を参照すると、前記コード分岐器４内部と前記遠端コード部３内部は各自直立ピン４５と直立ピン３５を設け、前記第一昇降コード６０と前記第二昇降コード６１を各自前記第一コード孔４０と前記第二コード孔３０に進入させる前に導正し、コードが角度によって引起こされる引っ掛かり等を防ぐ。
【００１９】
図４を参照すると、第二実施例おいて（第一実施例も同様）、前記渦巻バネユニット５は前記コード分岐器４と前記遠端コード部３との間に介在し、前記第一昇降コード６０と前記第二昇降コード６１の転折までの位置を近くすることで、転折前の摩擦変数を減少させることができる。
【００２０】
或いは図６に示すように、前記渦巻バネユニット５を前記シェル２内で前記遠端コード部３の外側（即ち前記コード分岐器４と離れた位置）に設けることができ、外側に近い位置から修理や交換をするのに便利である。また前記第一昇降コード６０と前記第二昇降コード６１のコード孔の通りのスムーズさを考慮して、前記シェル２内でその位置に設置される。
【００２１】
以上により、本考案は当業者であれば諸般の修飾が可能であるが、いずれも後付の実用新案登録請求の範囲の保護範囲に含まれる。
【符号の説明】
【００２２】
１      スラットユニット
２      シェル
２１    側面板
２２    側面板
３      遠端コード部
３０    第二コード孔
３１    入口ガイドローラ
３２    ケース
３３    ガイドローラ
３４    ガイドローラ
３５    直立ピン
４      コード分岐器
４０    第一コード孔
４１    反方向折返し部
４２    ケース
４３    ガイドローラ
４４    ガイドローラ
４５    直立ピン
４７    正方向転折部
４８    中央ケース
４９    ロッド
５      渦巻バネユニット
５０    バネ
５Ａ    第一バネセット
５１    第一ローラピン
５１１  歯車
５２    第二ローラピン
５２１  歯車
５３    第三ローラピン
５３１  歯車
５Ｂ    第二バネセット
５４    第四ローラピン
５４１  歯車
５５    第五ローラピン
５５１  歯車
６０    第一昇降コード
６１    第二昇降コード
７      角度調整器
８      角状シャフト
【図１】
0003222690.tif 000003
【図２】
0003222690.tif 000004
【図３】
0003222690.tif 000005
【図４】
0003222690.tif 000006
【図５】
0003222690.tif 000007
【図６】
0003222690.tif 000008
【図７】
0003222690.tif 000009
【図８】
0003222690.tif 000010
【手続補正書】
【提出日】平成30年12月6日(2018.12.6)
【手続補正１】
【補正対象書類名】実用新案登録請求の範囲
【補正対象項目名】全文
【補正方法】変更
【補正の内容】
【実用新案登録請求の範囲】
【請求項１】
コードレスカーテンの開閉連動構造であり、シェルと、反方向折返し部と、正方向転折部と、渦巻バネユニットとを含み、
前記シェルが第一コード孔と第二コード孔を設け、
前記反方向折返し部が前記シェル内に設けられ、
前記正方向転折部が前記シェル内に設けられ、
前記渦巻バネユニットが前記シェル内に設けられ、且つ前記渦巻バネユニットが、一組の第一バネセットが直接的或いは間接的に第一コードと第二コードの各自の第一端と連結することで、前記第一コードと前記第二コードが同じ方向に延伸し、
その内、前記第一コードの第二端が前記正方向転折部を経由して転折した後、前記第一コード孔を通ることで下降してスラットユニットと連接し、前記第二コードの第二端が前記反方向折返し部を経由して折返した後、前記第二コード孔を通ることで下降して前記スラットユニットと連接することを特徴とする、コードレスカーテンの開閉連動構造。
【請求項２】
前記反方向折返し部がガイドピンまたはガイドローラであり、前記正方向転折部がガイドピンまたはガイドローラであり、且つ前記反方向折返し部と前記正方向転折部がそれぞれ中央ケース内部に設けられ、且つ前記中央ケースは前記反方向折返し部と前記正方向転折部の間にロッドを設け、前記第一コードと前記第二コードをそれぞれ先に前記ロッドに巻き、更にそれぞれを前記反方向折返し部と前記正方向転折部に巻くことを特徴とする、請求項１に記載のコードレスカーテンの開閉連動構造。
【請求項３】
コード分岐器を設け、前記コード分岐器がケースを含み、且つ前記反方向折返し部が前記ケース内部に設けられ、前記渦巻バネユニットに近い側にあり、且つ前記正方向転折部が前記ケース内部に設けられ、前記渦巻バネユニットに遠い側にあり、更に遠端コード部を設け、前記第一コード孔が前記コード分岐器底部に設けられ、前記第二コード孔が前記遠端コード部底部に設けられることを特徴とする、請求項１に記載のコードレスカーテンの開閉連動構造。
【請求項４】
前記第一バネセットが、二者が相互に一つのバネを伸縮させる第一ローラピンと第二ローラピン、前記第一コードと前記第二コードを巻く一つの第三ローラピンを含み、且つ前記第二ローラピンと前記第三ローラピンが各自相互に噛合う歯車を設けることを特徴とする、請求項２または請求項３に記載のコードレスカーテンの開閉連動構造。
【請求項５】
前記渦巻バネユニットが更に一つの第二バネセットを含み、前記第二バネセットが、二者が相互に一つのバネを伸縮させる第四ローラピンと第五ローラピンを含み、且つ前記第五ローラピンと第一ローラピンが各自相互に噛合う歯車を設けることを特徴とする、請求項２または請求項３に記載のコードレスカーテンの開閉連動構造。
【請求項６】
前記コード分岐器の前記第一コード孔が、二つの相互に隔たるガイドローラが生成する間隙により形成されることを特徴とする、請求項３に記載のコードレスカーテンの開閉連動構造。
【請求項７】
前記遠端コード部の前記第二コード孔が、二つの相互に隔たるガイドローラが生成する間隙により形成されることを特徴とする、請求項３に記載のコードレスカーテンの開閉連動構造。
【請求項８】
前記コード分岐器内部と前記遠端コード部内部にそれぞれ直立ピンが設けられ、前記第一コードを前記第一コード孔に進入させる前に導正し、前記第二コードを前記第二コード孔に進入させる前に導正することを特徴とする、請求項３に記載のコードレスカーテンの開閉連動構造。
【請求項９】
前記渦巻バネユニットが前記コード分岐器と前記遠端コード部との間に介在することを特徴とする、請求項３に記載のコードレスカーテンの開閉連動構造。
【手続補正書】
【提出日】平成31年3月22日(2019.3.22)
【手続補正１】
【補正対象書類名】実用新案登録請求の範囲
【補正対象項目名】全文
【補正方法】変更
【補正の内容】
【実用新案登録請求の範囲】
【請求項１】
コードレスカーテンの開閉連動構造であり、シェルと、反方向折返し部と、正方向転折 部と、渦巻バネユニットとを含み、
前記シェルが第一コード孔と第二コード孔を設け、
前記反方向折返し部が前記シェル内に設けられ、
前記正方向転折部が前記シェル内に設けられ、
前記渦巻バネユニットが前記シェル内に設けられ、且つ前記渦巻バネユニットが、一組 の第一バネセットが直接的或いは間接的に第一コードと第二コードの各自の第一端と連結 することで、前記第一コードと前記第二コードが同じ方向に延伸し、
その内、前記第一コードの第二端が前記正方向転折部を経由して転折した後、前記第一 コード孔を通ることで下降してスラットユニットと連接し、前記第二コードの第二端が前 記反方向折返し部を経由して折返した後、前記第二コード孔を通ることで下降して前記ス ラットユニットと連接することを特徴とする、コードレスカーテンの開閉連動構造。
【請求項２】
前記反方向折返し部がガイドピンまたはガイドローラであり、前記正方向転折部がガイ ドピンまたはガイドローラであり、且つ前記反方向折返し部と前記正方向転折部がそれぞ れ中央ケース内部に設けられ、且つ前記中央ケースは前記反方向折返し部と前記正方向転 折部の間にロッドを設け、前記第一コードと前記第二コードをそれぞれ先に前記ロッドに 巻き、更にそれぞれを前記反方向折返し部と前記正方向転折部に巻くことを特徴とする、 請求項１に記載のコードレスカーテンの開閉連動構造。
【請求項３】
コード分岐器を設け、前記コード分岐器がケースを含み、且つ前記反方向折返し部が前 記ケース内部に設けられ、前記渦巻バネユニットに近い側にあり、且つ前記正方向転折部 が前記ケース内部に設けられ、前記渦巻バネユニットに遠い側にあり、更に遠端コード部 を設け、前記第一コード孔が前記コード分岐器底部に設けられ、前記第二コード孔が前記 遠端コード部底部に設けられることを特徴とする、請求項１に記載のコードレスカーテン の開閉連動構造。
【請求項４】
前記第一バネセットが、二者が相互に一つのバネを伸縮させる第一ローラピンと第二ロ ーラピン、前記第一コードと前記第二コードを巻く一つの第三ローラピンを含み、且つ前 記第二ローラピンと前記第三ローラピンが各自相互に噛合う歯車を設けることを特徴とす る、請求項２または請求項３に記載のコードレスカーテンの開閉連動構造。
【請求項５】
前記渦巻バネユニットが更に一つの第二バネセットを含み、前記第二バネセットが、二 者が相互に一つのバネを伸縮させる第四ローラピンと第五ローラピンを含み、且つ前記第 五ローラピンと前記第一バネセットの前記第一ローラピンとが各自相互に噛合う歯車を設けることを特徴とする、請求項３または請求項４に記載のコードレスカーテンの開閉連動構造。
【請求項６】
前記コード分岐器の前記第一コード孔が、二つの相互に隔たるガイドローラが生成する 間隙により形成されることを特徴とする、請求項３に記載のコードレスカーテンの開閉連 動構造。
【請求項７】
前記遠端コード部の前記第二コード孔が、二つの相互に隔たるガイドローラが生成する 間隙により形成されることを特徴とする、請求項３に記載のコードレスカーテンの開閉連 動構造。
【請求項８】
前記コード分岐器内部と前記遠端コード部内部にそれぞれ直立ピンが設けられ、前記第 一コードを前記第一コード孔に進入させる前に導正し、前記第二コードを前記第二コード 孔に進入させる前に導正することを特徴とする、請求項３に記載のコードレスカーテンの開閉連動構造。
【請求項９】
前記渦巻バネユニットが前記コード分岐器と前記遠端コード部との間に介在することを 特徴とする、請求項３に記載のコードレスカーテンの開閉連動構造。
【手続補正書】
【提出日】令和1年7月1日(2019.7.1)
【手続補正１】
【補正対象書類名】実用新案登録請求の範囲
【補正対象項目名】全文
【補正方法】変更
【補正の内容】
【実用新案登録請求の範囲】
【請求項１】
コードレスカーテンの開閉連動構造であり、シェルと、反方向折返し部と、正方向転折 部と、渦巻バネユニットとを含み、
前記シェルが第一コード孔と第二コード孔を設け、
前記反方向折返し部が前記シェル内に設けられ、
前記正方向転折部が前記シェル内に設けられ、
前記渦巻バネユニットが前記シェル内に設けられ、且つ前記渦巻バネユニットが、一組 の第一バネセットが直接的或いは間接的に第一コードと第二コードの各自の第一端と連結 することで、前記第一コードと前記第二コードが同じ方向に延伸し、
その内、前記第一コードの第二端が前記正方向転折部を経由して転折した後、前記第一 コード孔を通ることで下降してスラットユニットと連接し、前記第二コードの第二端が前 記反方向折返し部を経由して折返した後、前記第二コード孔を通ることで下降して前記ス ラットユニットと連接することを特徴とする、コードレスカーテンの開閉連動構造。
【請求項２】
前記反方向折返し部がガイドピンまたはガイドローラであり、前記正方向転折部がガイ ドピンまたはガイドローラであり、且つ前記反方向折返し部と前記正方向転折部がそれぞれ中央ケース内部に設けられ、且つ前記中央ケースは前記反方向折返し部と前記正方向転 折部の間にロッドを設け、前記第一コードと前記第二コードをそれぞれ先に前記ロッドに 巻き、更にそれぞれを前記反方向折返し部と前記正方向転折部に巻くことを特徴とする、 請求項１に記載のコードレスカーテンの開閉連動構造。
【請求項３】
コード分岐器を設け、前記コード分岐器がケースを含み、且つ前記反方向折返し部が前 記ケース内部に設けられ、前記渦巻バネユニットに近い側にあり、且つ前記正方向転折部 が前記ケース内部に設けられ、前記渦巻バネユニットに遠い側にあり、更に遠端コード部 を設け、前記第一コード孔が前記コード分岐器底部に設けられ、前記第二コード孔が前記 遠端コード部底部に設けられることを特徴とする、請求項１に記載のコードレスカーテン の開閉連動構造。
【請求項４】
前記第一バネセットが、二者が相互に一つのバネを伸縮させる第一ローラピンと第二ローラピン、前記第一コードと前記第二コードを巻く一つの第三ローラピンを含み、且つ前 記第二ローラピンと前記第三ローラピンが各自相互に噛合う歯車を設けることを特徴とする、請求項２または請求項３に記載のコードレスカーテンの開閉連動構造。
【請求項５】
前記渦巻バネユニットが更に一つの第二バネセットを含み、前記第二バネセットが、二 者が相互に一つのバネを伸縮させる第四ローラピンと第五ローラピンを含み、且つ前記第 五ローラピンと前記第一バネセットの前記第一ローラピンとが各自相互に噛合う歯車を設けることを特徴とする、請求項４に記載のコードレスカーテンの開閉連動構造。
【請求項６】
前記コード分岐器の前記第一コード孔が、二つの相互に隔たるガイドローラが生成する 間隙により形成されることを特徴とする、請求項３に記載のコードレスカーテンの開閉連 動構造。
【請求項７】
前記遠端コード部の前記第二コード孔が、二つの相互に隔たるガイドローラが生成する 間隙により形成されることを特徴とする、請求項３に記載のコードレスカーテンの開閉連 動構造。
【請求項８】
前記コード分岐器内部と前記遠端コード部内部にそれぞれ直立ピンが設けられ、前記第 一コードを前記第一コード孔に進入させる前に導正し、前記第二コードを前記第二コード 孔に進入させる前に導正することを特徴とする、請求項３に記載のコードレスカーテンの開閉連動構造。
【請求項９】
前記渦巻バネユニットが前記コード分岐器と前記遠端コード部との間に介在することを特徴とする、請求項３に記載のコードレスカーテンの開閉連動構造。